(57)【要約】【課題】閉鎖装置を改良する。【解決手段】本発明は、好適には標準のねじ付き首部である、ねじ付き首部を有する容器のための閉鎖装置に関し、容器からの閉鎖装置の引抜を防止可能な、金属キャップと、キャップに対して同軸である、金属スリーブと重合体リングを具備し、重合体リングは、外径Ｄ１を有する第１部分と、外径Ｄ１よりも小さい外径Ｄ２を有する第２部分と、外径Ｄ１にほぼ等しい外径Ｄ３を有する、第３部分を備える。キャップは、閉鎖装置の最初の開口前に、第１部分の周りに配置される、端部備え、閉鎖装置は、最初の開口時に、キャップの端部が第１部分の上を通過するのを許容できる。スリーブは、第３部分の周りに配置される、端部を備え、第３部分は、スリーブの端部に設けられる環状溝内に収容され、第３部分の半径方向の停止面は、間にいかなる実質的な隙間のない状態で、キャップの端部の対向する半径方向の停止面に軸線方向に面する。【選択図】図４
2015057351.tif 000002
【特許請求の範囲】
【請求項１】
好適には標準のねじ付き首部（１０１）である、ねじ付き首部（１０１）を有する容器（１００）のための閉鎖装置（３）は、
前記容器（１００）からの前記閉鎖装置（３）の引き抜きを防止可能な、抗取り外し手段（１０３，５２）と、
金属キャップ（４）が前記容器（１００）に装着される時に、前記容器（１００）から液体が流出することを防止可能な金属キャップ（４）と、
前記金属キャップ（４）に対して共に同軸である、金属スリーブ（５）及び重合体リング（６）と、を具備しており、
前記重合体リング（６）は、外径Ｄ１を有する第１部分（６５）と、前記外径Ｄ１よりも小さい外径Ｄ２を有する第２部分（６６）と、前記外径Ｄ１に実質的に等しい外径Ｄ３を有する、第３部分（６７）と、を備えており、
前記閉鎖装置（３）は、
前記閉鎖装置の最初の開口前に、前記重合体リング（６）の前記第１部分（６５）の周りに配置される、前記金属キャップ（４）の端部（４１）と、
前記重合体リング（６）の前記第３部分（６７）の周りに配置される、前記金属キャップ（４）の端部（５１）と、を具備しており、
前記閉鎖装置（３）は、最初の開口時に、前記金属キャップ（４）の前記端部（４１）が前記第１部分（６５）の上を通過することを許容できる、閉鎖装置（３）において、
前記重合体リング（６）の前記第３部分（６７）は、前記金属スリーブ（５）の前記端部（５１）に設けられる、環状溝（５１２）内に収容されており、前記第３部分（６７）の半径方向の停止面（６７１）は、間にいかなる実質的な隙間のない状態で、前記金属キャップ（４）の前記端部（５１）の対向する半径方向の停止面に軸線方向において面する、ことを特徴とする閉鎖装置。
【請求項２】
前記金属キャップ（４）は、約360度で周囲を延びる切断線により、前記金属スリーブ（５）から分離される、ことを特徴とする請求項１に記載の閉鎖装置。
【請求項３】
前記最初の開口前に、前記金属キャップ（４）は、破断可能な金属橋部（３２）により前記金属スリーブ（５）に接続されており、前記金属橋部（３２）は、前記最初の開口の操作中に、引き裂くことができる、ことを特徴とする請求項１に記載の閉鎖装置。
【請求項４】
前記重合体リング（６）の前記第３部分（６７）は、前記外径Ｄ２よりも大きい外径Ｄ３を備えており、前記第２部分（６６）に関して、軸線方向において前記第１部分（６５）の反対側にある、ことを特徴とする請求項１〜３のいずれか一項に記載の閉鎖装置。
【発明の詳細な説明】
【技術分野】
【０００１】
本発明は、容器からの閉鎖装置の引き抜きを防止できる、抗取り外し手段と、容器に金属キャップが装着された時に液体が容器から流出することを防止する、金属キャップと、金属キャップに対して共に同軸である、金属スリーブ及び重合体リングと、を具備する、ねじ付き首部、好適には、標準のねじ付き首部を有する、容器のための閉鎖装置に関する。
【背景技術】
【０００２】
このタイプの閉鎖装置は、首部と口とを備える容器、例えば、首部にねじが切られた、瓶等の容器、に適用されており、所謂「標準のねじ付き首部」、即ち、UNI9574規格に従って、又は例えば、フランス規格GME30.06等の、これと同等の規格に従って製造される、首部を備える、容器に適用されることが好ましい。これらの瓶は一般的に、例えば、いかなる不純物の混入をも阻止するために最初の開口が生じたことを示す必要がある、ワイン等のアルコール系液体を含む。
【０００３】
ある特許文献では、例えば、金属から同様に製作されていて閉鎖装置の下端部に設けられる、シールリングを備える金属製閉鎖装置について記載されている（例えば、特許文献１参照。）。シールリングは、要素部分に順に細分割されており、要素部分は、外部に向かって開くことにより、最初の開口が実施されたことを示す。
【０００４】
一方、ある特許文献では、要素部分に分割されたシールリングが重合体材料から製作される、類似の金属製閉鎖装置が開示されている（例えば、特許文献２参照。）。
【０００５】
両方の閉鎖装置の一般的な欠陥は、最初の開口後、瓶が再び閉じられる時に、閉鎖装置のシールリングが最初の開口前の外観と同じ外観を有するように、シールリングが配設され得ることである。
【０００６】
実際には、一定量の難易度が存在するが、これらのリングの要素部分は、外観が、ほとんどの消費者を欺くことができるほど、無傷の閉鎖装置の外形と非常に類似するように、元の位置に戻すことができる。
【０００７】
従って、標準の首部を備えた容器に装着することもできて且つ最初の外観が、最初の開口が生じた後に、回復することが特に困難であって更に従って最初の開口が生じたことを示すことができる、閉鎖装置を提供する必要性が存在する。
【０００８】
その必要性を満たすための試みは、第１の直径Ｄ１を有する第１部分と、Ｄ１より小さい第２の直径を有する第２部分と、を具備する重合体リングを備える、閉鎖装置により実施されており、前記重合体リングは、閉鎖装置の金属キャップ内又は金属スリーブ内に配置される。
【０００９】
金属キャップ又は金属スリーブの端部は、閉鎖装置の最初の開口が実施される前に、重合体リングの前記第２部分の周りに配置される。
【００１０】
閉鎖装置は、キャップが瓶口を閉じるために首部上に新たに配置される時にも閉鎖装置の外側から見えるように保持される、重合体リングの第１部分の上を、最初の開口時に、前記端部が通過することを可能にできる。
【００１１】
上記の閉鎖装置の例は、ある特許文献に開示される（例えば、特許文献３参照。）。
【００１２】
満足な結果は、金属キャップの内側又は金属スリーブの内側に配置された、重合体リングのいずれかを有する、特許文献３の閉鎖装置を使用することにより達成できるが、しかし、幾つかの不都合が、瓶首部への閉鎖装置の装着中に、重合体リングをその所定の位置に保持することにおいて生じており、一体に共に接続されたキャップとスリーブとを具備する、閉鎖装置は、軸線方向の変位により位置決めされて、その後首部の周りの回転操作により固定される。
【００１３】
実際には、瓶首部への閉鎖装置の装着時に、重合体リングが金属スリーブ内のその最初の位置から軸線方向に移動することが頻繁に起こり、最初の開口時に取り外された後に、金属キャップが瓶を閉めるために使用される時に、閉鎖装置の性能に悪影響を与えることが認識されている。
【００１４】
既知であるように、金属キャップと金属スリーブは、瓶首部に軸線方向に装着され更に回転操作により瓶首部に固定された後に、微小で感知できないか又はほとんど感知できず且つ(約)360度で周囲を延びている、円周切断線によりお互いからその後完全に分離されるか、又は金属キャップと金属スリーブが、閉鎖装置の最初の開口時に引き裂かれる、破壊可能な橋部により、お互いに接続する状態を保持できることが好ましい。
【先行技術文献】
【特許文献】
【００１５】
【特許文献１】米国特許第３８１２９９１号明細書
【特許文献２】独国特許出願公開第３８３３９４５号明細書
【特許文献３】欧州特許出願公開第１９６４７８７号明細書
【発明の概要】
【発明が解決しようとする課題】
【００１６】
上記の技術の状況及び認知された不都合に鑑みて、本発明の目的は、より良好な性能を有する、このタイプの閉鎖装置を提供することである。
【課題を解決するための手段】
【００１７】
本発明によれば、この目的は、請求項１による閉鎖装置により達成される。
【００１８】
本発明の特徴および利点は、添付の図面を参照して、非限定的な例により提示される、実用的な実施の形態の以下の詳細な説明から明らかになるであろう。
【図面の簡単な説明】
【００１９】
【図１】図１は、本発明に係る閉鎖装置の好適な実施の形態の断面図であり、回転操作の前に、瓶の標準のねじ付き首部に装着されている。
【図２】図２は、回転操作及び金属キャップと金属スリーブとの間の周囲の切断線の形成後の、図１の閉鎖装置の断面図を示す。
【図３】図３は、図１の閉鎖装置の一部の拡大図を示す。
【図４】図４は、図２の閉鎖装置の一部の拡大図を示す。
【図５】図５は、本発明に係る閉鎖装置の断面図であり、閉鎖装置の最初の開口後に瓶を閉じるための想定位置に金属キャップが有る状態で、閉鎖装置は、瓶の標準のねじ付き首部に装着されている。
【図６】図６は、図５の閉鎖装置の一部の拡大図を示す。
【図７】図７は、重合体リングの平面図を示す。
【発明を実施するための形態】
【００２０】
図１、図２及び図７を参照すると、参照番号１００は、本発明の好適な実施の形態に係る閉鎖装置３が装着された、標準のねじ付き首部１０１を備えた、容器を示す。
【００２１】
閉鎖装置３は、閉鎖装置が好適には挿入部１０２と共に容器に装着された時に容器１００から液体が流出することを防止できる、金属キャップ４と、金属キャップ４及び閉鎖装置の長手方向軸線Ｘ−Ｘに対して共に同軸である、金属スリーブ５及び重合体リング６と、を具備する。
【００２２】
金属キャップ４と金属スリーブ５は、より詳細に後述するように、共に接続された状態で一体で製造されており、瓶の首部に軸線方向に装着された後に、円周方向の切断によりお互いに分離される。
【００２３】
重合体リング６は、図７から分かるように、Seiger（シーガー）リング式の阻止部６１を備えており、選択可能に、２つの端部６２、６３は、リングが比較的薄い断面を有している場合でさえも、局部的な変形を回避するように、１つ以上の橋部６４により接続される。
【００２４】
図２に示すように、重合体リング６は、外径Ｄ１を有する第１部分６５と、外径Ｄ２（Ｄ２＜Ｄ１）を有する第２部分６６と、を具備する。
【００２５】
金属スリーブ５と金属キャップ４は、これらが瓶首部１０１上に結果的に設置される場合に、各々が軸線Ｘ−Ｘに向かって内側に向けられる、それぞれの端部５１と４１を具備する。
【００２６】
最初の開口が生じる前に、金属キャップ４の端部４１は、重合体リング６の第１部分６５の周りに配置される一方で、金属スリーブ５の端部５１は、同じ重合体リングの第２部分６６の周りに配置される。閉鎖装置３はまた、最初の開口の間に、金属キャップ４の端部４１が重合体リング６の第１部分６５上を通過できるように構成される。
【００２７】
一般的に、Ｄ２は、20及び40mmの間にあるのに対して、Ｄ１は、約0.2と約3mmとの間の値で、Ｄ２に比べてより大きい。
【００２８】
本発明によれば、重合体リング６は、第２部分６６に関して第１部分６５の反対側にある、第３部分６７を備えており、第３部分６７は、Ｄ２に比べてより大きくて且つＤ１に実質的に等しい、外径Ｄ３を有する。
【００２９】
前記第３部分６７は、軸線方向の厚さＬと、半径方向の厚さＲと、を備えており、軸線方向の厚さＬ及び半径方向の厚さＲは、リングが閉鎖装置３の内側に配置された時に、いかなる実質的な隙間なしで金属スリーブ５の端部５１の対向する半径方向の停止面５１１に軸線方向で対面する、半径方向の停止面６７１を隆起させる。
【００３０】
従って、金属スリーブ５は、その端部５１の近くに、重合体リング６の第３部分６７の本体を収容できる、環状溝５１２を備える。
【００３１】
本発明によれば、瓶首部１０１上への閉鎖装置３の装着時に、重合体リング６の第３部分６７は、首部に沿って軸線方向に移動しながら、金属スリーブ５の環状溝５１２の内側に安全に固定された状態を維持し、金属キャップ４の端部４１に対して、第１部分６５の軸線方向の位置を変更することが防止される。
【００３２】
瓶首部１０１に装着された後に、閉鎖装置３は、従来の回転操作の手段により瓶首部に固定されており、従来の回転操作は、キャップ４を瓶首部１０１のねじ付き外形に付着させ、金属スリーブ５を首部の環状段差１０３の下で押圧して、環状溝５２を形成する。
【００３３】
環状溝５２及び段差１０３は、容器１００からの閉鎖装置３の引き抜きを防ぐ、抗取り外し手段を形成する。
【００３４】
更に、金属キャップ４と金属スリーブ５は、円周方向の切断線３１（図４）によりお互いから完全に分離でき、円周方向の切断線３１は、感知することができるか、又はほぼ感知でき、周囲を(約)３６０度延びるか、あるいは、金属キャップと金属スリーブは、最初の開口操作中に引き裂くことができる、破断可能な金属橋部３２（図２に示す）によりお互いに接続可能であることが好ましい。
【００３５】
第１の場合において、金属キャップ４と金属スリーブ５は、お互いから機械的に分離されており、即ち、金属キャップ４と金属スリーブ５の間に接続橋部は存在せず、最初の開口中に、端部４１が第１部分６５上を通過する時に、重合体リング６の軸線方向の移動は、金属スリーブ５の端部５１により阻止される。
【００３６】
一方、第２の場合において、最初の開口中に、牽引力及び／又は剪断が作用するように、橋部３２に応力が作用し、橋部３２は、先ず引き裂かれ、その後前述のように、第１部分６５の上を通過可能にする。
【００３７】
容器１００の最初の開口の操作中に、重合体リング６の第１部分６５の周囲に配置される、端部４１は、前記第１部分６５上を通過するように拡張し、その後弾性的に収縮し、好適には、その元の形態に戻る。
【００３８】
代替又は組み合わせとして、それは、接触してその後弾性的に拡張し好適にはその元の形態に戻る、第１部分であり得る。
【００３９】
この構成により、再閉鎖後、端部４１及び５１は、図５及び図６に示されるように、容器１００が開放され更に再閉鎖されたことを視覚的に示す、明確な隙間により離間する。
【００４０】
端部４１がリング６の第１部分６５上を通過する時に、端部５１が、軸線方向において重合体リング６を保持することは有利である。
【００４１】
リング６の第１部分６５の外側表面６５１は、好適には円錐台形状で、第２部分６６から散開することができ、それはまた、例えば、その弾性を調節可能にする、半径方向の切欠き（図示せず）により１つ以上の地点で中断できる。
【００４２】
外側表面６５１により定義される円錐の頂点における角度は、10度から120度の間にあることが有利であり、可能な限り、上を通過することを促進するために、50度が好適な値である。
【００４３】
閉鎖装置３は、最初の開口後、第２部分６６の外側にもう一度配置されるために、リング６の第１部分６５上を通過した、金属キャップ４の端部４１が、もはや逆方向に第１部分の上を通過することはできず、従って、初期の形態の回復を防止するように構成されることが有利である。
【００４４】
例えば、第１部分６５の厚みＳは、金属キャップ４が容器１００にもう一度ねじ込まれる時に、端部４１が、図６に明示するように、後者（第１部分）と容器１００自体との間において、第１部分６５の内側に挿入される傾向があるようなものとすることができる。
【００４５】
金属キャップ４と金属スリーブ５が製作される材料は、有利には0.2mmと0.25mmの間であって0.22mmが有利である、厚さを有する、アルミニウムであり得るのに対して、重合体リング６が製作される材料は、POM（ポリオキシメチレン）、ポリアミド及びPP（ポリプロピレン）を含む群から選択されることが好ましい。
【００４６】
不足の及び特定の要件を満たすために、当業者は、上述した形態の多くの修正及び変更を提供できるはずであり、その修正及び変更の全ては、しかし、以下の特許請求項により定義される、本発明の保護範囲内にある。
【図１】
2015057351.tif 000003
【図２】
2015057351.tif 000004
【図３】
2015057351.tif 000005
【図４】
2015057351.tif 000006
【図５】
2015057351.tif 000007
【図６】
2015057351.tif 000008
【図７】
2015057351.tif 000009
【外国語明細書】
2015057351000001.pdf